(57)【要約】【課題】シンチレーションが改善され、良好な映像を表示できる透過型スクリーン、及び、これを備える背面投射型表示装置を提供する。【解決手段】透過型スクリーン１０は、スクリーン面が曲面をなすような湾曲形状を有し、映像光の入光側に設けられ、映像光の進行方向を偏向するフレネルレンズ形状を有するレンズ層２４と、レンズ層２４よりも出光側に設けられ、光を透過する光透過部３２３と光を吸収する光吸収部３２４とがスクリーン面に沿って交互に配置され、光吸収部３２４の断面形状が略楔形形状である光制御層３２と、光制御層３２よりも入光側に配置され、光を拡散する作用を有する第１拡散層２２と、光制御層３２よりも出光側に配置され、光を拡散する作用を有し、第１拡散層２２よりもヘイズ値が大きい第２拡散層３３とを備えるものとした。【選択図】図３
2013257496.tif 000002
【特許請求の範囲】
【請求項１】
一方の面側から投射された映像光を他方の面側に透過して映像を表示する透過型スクリーンであって、
スクリーン面が曲面をなすような湾曲形状を有し、
映像光の入光側に設けられ、映像光の進行方向を偏向するフレネルレンズ層と、
前記フレネルレンズ層よりも出光側に設けられ、光を透過する光透過部と光を吸収する光吸収部とを備え、この透過型スクリーンの厚み方向に平行な断面において、前記光透過部及び前記光吸収部がスクリーン面に沿って交互に配置され、前記断面における前記光吸収部の断面形状が略楔形形状である光制御層と、
前記光制御層よりも入光側に配置され、光を拡散する作用を有する第１拡散層と、
前記光制御層よりも出光側に配置され、光を拡散する作用を有し、前記第１拡散層よりもヘイズ値が大きい第２拡散層と、
を備えること、
を特徴とする透過型スクリーン。
【請求項２】
請求項１に記載の透過型スクリーンにおいて、
前記第１拡散層及び前記第２拡散層は、光を等方的に拡散すること、
を特徴とする透過型スクリーン。
【請求項３】
請求項１又は請求項２に記載の透過型スクリーンにおいて、
前記フレネルレンズ層は、レンズ面と非レンズ面とを有し、出光側に凸となる単位レンズが複数配列されて形成され、
前記第１拡散層は、前記フレネルレンズ層よりも入光側に位置すること、
を特徴とする透過型スクリーン。
【請求項４】
請求項３に記載の透過型スクリーンにおいて、
前記第１拡散層と前記第２拡散層との間に、光を拡散する作用を有する第３拡散層を有すること、
を特徴とする透過型スクリーン。
【請求項５】
請求項４に記載の透過型スクリーンにおいて、
前記第３拡散層のヘイズ値は、前記第２拡散層のヘイズ値よりも小さいこと、
を特徴とする透過型スクリーン。
【請求項６】
請求項１又は請求項２に記載の透過型スクリーンにおいて、
前記フレネルレンズ層は、光が入射する入射面と、前記入射面から入射した光の少なくとも一部を全反射する全反射面とを有し、入光側に凸となる単位レンズが複数配列されて形成されており、
前記第１拡散層は、前記フレネルレンズ層よりも出光側に位置すること、
を特徴とする透過型スクリーン。
【請求項７】
請求項１から請求項６までのいずれか１項に記載の透過型スクリーンと、
前記透過型スクリーンに対して、背面側から映像光を投射する光源部と、
を備える背面投射型表示装置。
【発明の詳細な説明】
【技術分野】
【０００１】
本発明は、透過型スクリーン、及び、これを備える背面投射型表示装置に関するものである。
【背景技術】
【０００２】
従来、映像光をスクリーンの背面側から投射して表示する背面投射型表示装置では、投射された映像光を透過して表示するための透過型スクリーンが広く用いられている。このような透過型スクリーンは、所望する光学特性に合わせて、様々な構成を有するものが提案されている（例えば、特許文献１，２参照）。
【０００３】
また、近年、透過型スクリーンを備える背面投射型表示装置に関して、その用途によっては、背面投射型表示装置の外形と透過型スクリーンの表面形状との一体感が要求される等、その意匠性が高く要求される場合がある。
このような場合には、意匠面におけるシステム全体との調和も必要であり、当然ながら、表示装置としての映像の良好さも要求される。
【先行技術文献】
【特許文献】
【０００４】
【特許文献１】特開平９−１６０１３２号公報
【特許文献２】特開２００８−２６５７９号公報
【発明の概要】
【発明が解決しようとする課題】
【０００５】
透過型スクリーンは、その視野角を広げたり画面の明るさの均一性を向上させたりするために、拡散材を含有する光拡散層が設けられている場合がある。
しかし、光拡散層は、厚みを厚くしたり、拡散材の量を多くしたりすると、視野角等の上記問題が改善されても、コントラストや解像度の低下、正面輝度の低下等を招いてしまうという問題があった。
また、視野角向上等のために、この光拡散層を透過型スクリーン内において比較的出光面側に配置した場合には、拡散材による光の拡散によって微小な輝度ムラが生じ、これがシンチレーション（ぎらつき）として観察されるという問題があった。
上述の特許文献１には、そのようなシンチレーションの改善に関しては、開示されていない。また、特許文献２では、フレネルレンズ及び光拡散シートを備える透過型スクリーンにおいて、光拡散層をフレネルレンズ又は光拡散シートのどちらか一方にのみ設けることによって、シンチレーションの低減等を図っている。しかし、光拡散層が１層のみのために、シンチレーションの低減のために光拡散層に含まれる拡散材量を増やすと、映像光の透過量が低下して映像が暗くなったり、コントラストが低下したりするという問題があった。
【０００６】
本発明の課題は、シンチレーションが大幅に改善され、良好な映像を表示できる透過型スクリーン、及び、これを備える背面投射型表示装置を提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
請求項１の発明は、一方の面側から投射された映像光を他方の面側に透過して映像を表示する透過型スクリーンであって、スクリーン面が曲面をなすような湾曲形状を有し、映像光の入光側に設けられ、映像光の進行方向を偏向するフレネルレンズ層（２４，４７１）と、前記フレネルレンズ層よりも出光側に設けられ、光を透過する光透過部（３２３）と光を吸収する光吸収部（３２４）とを備え、この透過型スクリーンの厚み方向に平行な断面において、前記光透過部及び前記光吸収部がスクリーン面に沿って交互に配置され、前記断面における前記光吸収部の断面形状が略楔形形状である光制御層（３２）と、前記光制御層よりも入光側に配置され、光を拡散する作用を有する第１拡散層（２２，４７４）と、前記光制御層よりも出光側に配置され、光を拡散する作用を有し、前記第１拡散層よりもヘイズ値が大きい第２拡散層（３３）と、を備えること、を特徴とする透過型スクリーン（１０，４０，５０）である。
請求項２の発明は、請求項１に記載の透過型スクリーンにおいて、前記第１拡散層（２２，４７４）及び前記第２拡散層（３３）は、光を等方的に拡散すること、を特徴とする透過型スクリーン（１０，４０，５０）である。
請求項３の発明は、請求項１又は請求項２に記載の透過型スクリーンにおいて、前記フレネルレンズ層（２４）は、レンズ面（２４２）と非レンズ面（２４３）とを有し、出光側に凸となる単位レンズ（２４１）が複数配列されて形成され、前記第１拡散層（２２）は、前記フレネルレンズ層よりも入光側に位置すること、を特徴とする透過型スクリーン（１０，５０）である。
請求項４の発明は、請求項３に記載の透過型スクリーンにおいて、前記第１拡散層（２２）と前記第２拡散層（３３）との間に、光を拡散する作用を有する第３拡散層（６８）を有すること、を特徴とする透過型スクリーン（５０）である。
請求項５の発明は、請求項４に記載の透過型スクリーンにおいて、前記第３拡散層（６８）のヘイズ値は、前記第２拡散層（３３）のヘイズ値よりも小さいこと、を特徴とする透過型スクリーン（５０）である。
請求項６の発明は、請求項１又は請求項２に記載の透過型スクリーンにおいて、前記フレネルレンズ層（４７１）は、光が入射する入射面（４７２ａ）と、前記入射面から入射した光の少なくとも一部を全反射する全反射面（４７２ｂ）とを有し、入光側に凸となる単位レンズ（４７２）が複数配列されて形成されており、前記第１拡散層（４７４）は、前記フレネルレンズ層よりも出光側に位置すること、を特徴とする透過型スクリーン（５０）である。
請求項７の発明は、請求項１から請求項６までのいずれか１項に記載の透過型スクリーン（１０，４０，５０）と、前記透過型スクリーンに対して、背面側から映像光を投射する光源部（８０）と、を備える背面投射型表示装置（１）である。
【発明の効果】
【０００８】
本発明によれば、シンチレーションが大幅に改善され、良好な映像を表示できる透過型スクリーン、及び、これを備える背面投射型表示装置とすることができる。
【図面の簡単な説明】
【０００９】
【図１】第１実施形態の背面投射型表示装置１を説明する図である。
【図２】第１実施形態の透過型スクリーン１０の斜視図である。
【図３】第１実施形態の透過型スクリーン１０の層構成を説明する図である。
【図４】レンズ層２４を説明する図である。
【図５】光制御層３２を説明する図である。
【図６】第２実施形態の透過型スクリーン４０の層構成を説明する図である。
【図７】第２実施形態のレンズ層４７１の単位レンズ４７２を説明する図である。
【図８】第３実施形態の透過型スクリーン５０の層構成を説明する図である。
【図９】各測定例の透過型スクリーンのシンチレーションの評価方法を説明する図である。
【図１０】測定例１，２及び測定例３〜５の透過型スクリーンのシンチレーションの発生状態を示す図である。
【図１１】測定例６〜８及び測定例１５，１６の透過型スクリーンのシンチレーションの発生状態を示す図である。
【発明を実施するための形態】
【００１０】
以下、図面等を参照して、本発明の実施形態について説明する。
なお、図１を含め、以下に示す各図は、模式的に示した図であり、各部の大きさ、形状は、理解を容易にするために、適宜誇張している。
また、板、シート等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、シート、板、フィルムの文言は、適宜置き換えることができるものとする。
さらに、本明細書中に記載する各部材の寸法等の数値及び材料名等は、実施形態としての一例であり、これに限定されるものではなく、適宜選択して使用してよい。
【００１１】
（第１実施形態）
図１は、第１実施形態の背面投射型表示装置１を説明する図である。図１では、背面投射型表示装置１の奥行き方向に平行かつ鉛直方向に平行な断面を模式的に示している。
背面投射型表示装置１は、透過型スクリーン１０と、光源部８０と、筐体９０とを備えている。この背面投射型表示装置１は、光源部８０から、透過型スクリーン１０の背面側へ映像光を投射して透過型スクリーン１０に映像を表示する。
本実施形態の背面投射型表示装置１は、太陽光や照明光等といった外光の影響が大きい環境で使用されるものであり、例えば、自動車の内部や船舶の内部（例えば、運転席や機関室等）に配置される車載用や船舶用の背面投射型表示装置である。本実施形態では、背面投射型表示装置１は、その表示画面の画面サイズ（透過型スクリーン１０の画面サイズ）が、対角６〜３０インチ程度の小型のものを例に挙げて説明する。
なお、これに限らず、室内等、一般的な背面投射型表示装置の使用が想定される環境において使用することも可能であり、また画面サイズもより大きなものとしてもよい。
【００１２】
透過型スクリーン１０は、図１に示すように、観察者Ｏ側（映像光の出光側）に凸となる湾曲形状を有している。この透過型スクリーン１０の詳細に関しては、後述する。
光源部８０は、透過型スクリーン１０に対してその背面側から映像光を投射する映像源である。本実施形態では、この光源部８０は、照射領域が次第に広がっていく発散光束（拡大投影された光束）として、透過型スクリーン１０の背面側の面（入光面）に映像光を投射する。このような光源部８０としては、例えば、ＬＥＤ（Ｌｉｇｈｔ  Ｅｍｉｔｔｉｎｇ  Ｄｉｏｄｅ）やレーザを利用したピコプロジェクタ等の小型の光源を用いることができる。
本実施形態の光源部８０は、図１に示すように、透過型スクリーン１０の背面側に配置され、ミラー等を介さずに直接投射するように構成されているが、これに限らず、例えば、光源部８０から投射された光をミラーで一度又は複数回反射して透過型スクリーン１０に投射する形態としてもよい。
筐体９０は、透過型スクリーン１０を支持し、かつ、その内部に光源部８０を配置可能な部材である。この筐体９０は、遮光性を有しており、不要な照明光や太陽光等の外光が透過型スクリーン１０の背面側から入射することを防止している。
【００１３】
図２は、第１実施形態の透過型スクリーン１０の斜視図である。図２では、理解を容易にするために、透過型スクリーン１０のみを簡略化して示している。
図２に示すように、透過型スクリーン１０は、その全体を見た場合、スクリーン面（表示面）が三次元曲面をなすような湾曲形状を有している。なお、透過型スクリーン１０は、スクリーン面が二次元曲面をなすような湾曲形状を有していてもよい。
ここで、スクリーン面とは、この透過型スクリーン１０全体として見たときにおける、透過型スクリーン１０の面方向となる面を示すものである。また、「二次元曲面」とは、単一の軸を中心として二次元的に湾曲しているもの、或いは、互いに平行な複数の軸を中心として異なる曲率で二次元的に湾曲しているものを意味するものとし、「三次元曲面」とは、互いに対して角度をなす複数の軸をそれぞれ中心として、部分的に又は全体的に湾曲しているもの意味するものとする。
【００１４】
本実施形態の透過型スクリーン１０は、図２に示すように、正面方向から見た場合の対角線の一方と平行で透過型スクリーン１０の背面側（入光側）に位置する第１の軸Ａ１を中心とした方向Ｂ１に観察者側（出光側）に凸となるように湾曲し、かつ、他方の対角線と平行で透過型スクリーン１０の背面側に位置する第２の軸Ａ２を中心とした方向Ｂ２に観察者側に凸となるように湾曲している。そして、透過型スクリーン１０の観察面（出光面）において、その表示領域の幾何学的中心となる点Ｃ（透過型スクリーン１０の平面形状をなす矩形状の一対の対角線が交わる点）が最も観察者側に突出する形態となっている。なお、透過型スクリーン１０は、最も観察者側に突出している点が、点Ｃとは異なる点である形態としてもよい。
また、透過型スクリーン１０は、観察者側の面（出光面）の最も観察者側に凸となっている点Ｃにおける法線方向Ｎに直交する平面（即ち、最も観察者側に凸となった点Ｃでの接面）が、鉛直方向（画面上下方向）に平行となっている。
このような透過型スクリーン１０において、湾曲形状の曲率半径は、２０００ｍｍ以下であることが好ましく、２５０ｍｍ以上であり１５００ｍｍ以下であることがより好ましい。
【００１５】
なお、本実施形態では、透過型スクリーン１０は、観察者側（出光側）に凸となる湾曲形状を有する例を示したが、これに限らず、例えば、光源側（入光側）に凸（即ち、観察者側へ凹）となるような湾曲形状を有していてもよい。また、観察者側に凸となる部分と光源側に凸となる部分とを組み合わせた形状としてもよい。
また、湾曲形状の軸となる第１の軸Ａ１，第２の軸Ａ２は、透過型スクリーン１０を正面方向から見た場合の観察画面の矩形形状の対角線にそれぞれ平行である例を示したが、これに限らず、透過型スクリーン１０を正面方向から見た場合に、観察画面の幾何学的中心となる点Ｃを通り画面上下方向に平行な方向と、画面左右方向に平行な方向とをそれぞれ第１の軸、第２の軸としてもよい。
【００１６】
図３は、第１実施形態の透過型スクリーン１０の層構成を説明する図である。
図３では、透過型スクリーン１０の点Ｃを通り画面上下方向及び厚み方向に平行な断面の一部を拡大して示している。
本実施形態の透過型スクリーン１０は、図３に示すように、その厚み方向において、映像源側に位置するフレネルレンズシート２０と、観察者側（出光側）に位置する積層体３０とを備えている。
【００１７】
フレネルレンズシート２０は、光源部８０から発散光束として投射され、フレネルレンズシート２０へ入射した光を、観察者側へ偏向させ、略正面方向Ｎへ進む光束とする機能を有する。
このフレネルレンズシート２０は、その入光側（光源側）から順に、フレネル基材層２１と、レンズ層２４とを備え、これらが一体に積層されている。
フレネル基材層２１は、フレネルレンズシート２０の基材となる層であり、第１拡散層２２と樹脂層２３とを有している。
第１拡散層２２は、光を拡散する作用を有する層であり、光を拡散する拡散材を含有するシート状の部材を用いている。この第１拡散層２２は、光を等方的に拡散する作用を有している。
【００１８】
第１拡散層２２の母材としては、ＭＢＳ（メチルメタクリレート・ブタジエン・スチレン）樹脂、アクリル樹脂、ＰＣ（ポリカーボネート）樹脂、ＰＥＴ（ポリエチレンテレフタレート）樹脂等の光透過性を有する樹脂を挙げることができる。
また、この第１拡散層２２が含有する拡散材としては、プラスチックビーズ等の有機フィラーであり、特に、透明度の高いものが好ましい。このようなプラスチックビーズとしては、メラミン樹脂製、アクリル樹脂製、ＡＳ（アクリル・スチレン）樹脂製、ＰＣ樹脂製等のものを適用可能である。また、シリコン系ビーズも光拡散材として使用可能である。さらに、所望する拡散性能等に合わせて、これらの光拡散材を適宜選択し、所定の割合で組み合わせる等して使用可能である。
このような拡散材は、例えば、その平均粒径が約１〜３０μｍのものを使用することが好ましい。
【００１９】
第１拡散層２２は、そのヘイズ値を３０〜６０％の範囲内とすることが、映像の解像度及びコントラストを高く維持し、かつ、シンチレーションを低減する観点から好ましい。ヘイズ値が３０％未満となると、光拡散効果が不十分となり、シンチレーションが低減されない。また、ヘイズ値が６０％を超えると、光拡散効果が大きすぎ、映像がぼやけて、解像度やコントラストが低下する可能性がある。
また、第１拡散層２２は、透過型スクリーン１０の画面サイズ等にも依るが、その厚さを２０〜９０μｍとすることが、映像の解像度やコントラストを高く維持し、かつ、シンチレーションを低減する観点から好ましい。
この第１拡散層２２は、後述する第２拡散層３３との厚み方向における距離を大きく取ることが、シンチレーション低減の観点から好ましい。
【００２０】
樹脂層２３は、第１拡散層２２の観察者側（出光側）に位置し、光透過性を有する樹脂製のシート状の部材を用いている。
樹脂層２３を形成する材料としては、ＭＢＳ樹脂、アクリル樹脂、ＰＣ樹脂、ＰＥＴ樹脂等の光透過性を有する樹脂が挙げられる。
樹脂層２３の厚みは、約１．０〜１．９ｍｍとすることが好ましい。１．０ｍｍ未満の場合には、十分な剛性を有しておらず好ましくない。また、１．９ｍｍを超える場合には、フレネルレンズシート２０から出射する映像光と迷光とのずれが大きくなり、二像が生じやすくなり、好ましくない。
本実施形態の樹脂層２３及び第１拡散層２２は、共押し出し成形により、一体に積層されて形成される。なお、これに限らず、互いに別体として形成された２層を粘着材等により接合する形態としてもよい。
また、樹脂層２３及び第１拡散層２２を合わせた厚みは、１．１〜２．０ｍｍとすることが、映像の解像度やコントラストを高く維持し、かつ、シンチレーションを低減することや、十分な剛性を備える観点から好ましい。
【００２１】
図４は、レンズ層２４を説明する図である。図４では、レンズ層２４を観察者側（出光側）から見た様子を示している。
レンズ層２４は、樹脂層２３の観察者側（出光側）に位置する層であり、その観察者側の面には、単位レンズ２４１が複数配列されたフレネルレンズ形状を有する。
本実施形態のフレネルレンズ形状は、図４に示すように、単位レンズ２４１が、点Ｆを中心として同心円状に配列されたサーキュラーフレネルレンズ形状であるが、これに限らず、単位レンズ２４１が、正面方向から見て、画面左右方向に延在し、画面上下方向に配列されるリニアフレネルレンズ形状としてもよい。本実施形態では、点Ｆは、フレネルレンズシート２０の出光側の正面方向（点Ｃにおける接面の法線方向）から見て、フレネルレンズシート２０（透過型スクリーン１０）下方であって、点Ｃに対応するフレネルレンズシート２０の出光面側の点Ｃ２（幾何学的中心）を通り画面の上下方向に平行な直線上に位置している。なお、この例に限らず、点Ｆは、光源部８０から投射される映像光の角度等に応じて適宜その位置を変更してよく、フレネルレンズシート２０内のシート面に位置していてもよい。
【００２２】
図３に戻って、単位レンズ２４１は、その配列方向に平行であって、厚み方向に平行な断面形状が、観察者側（出光側）に凸となる略三角形形状であり、レンズ面２４２及び非レンズ面２４３を有している。この単位レンズ２４１が複数配列されることによって、フレネルレンズシート２０の出光側には、所謂、屈折型のフレネルレンズが形成されている。
【００２３】
積層体３０は、図３に示すように、その厚み方向において、光源側（入光側）から順に、基板層３１、光制御層３２、第２拡散層３３、着色層３４、表面層３５等を備えており、これらが接合層３６を介して一体に積層されている。
基板層３１は、光透過性を有する層であり、積層体３０の他の層に比べて厚さが厚く、積層体３０の剛性を高め、かつ、透過型スクリーン１０の湾曲形状を維持する機能を有している。この基板層３１は、光透過性を有する板状の部材が用いられている。
基板層３１は、ＰＣ樹脂、アクリル樹脂、スチレン樹脂、ポリエステル樹脂、ＡＳ樹脂等により形成された板状の部材を用いることができる。また、基板層３１の厚さは、約１．５〜５．０ｍｍとすることが、加工性と、スクリーンとしての剛性や湾曲形状維持とを実現する観点から好ましい。
【００２４】
光制御層３２は、光線の出射方向を制御する作用を有する層である。この光制御層３２は、基材部３２１と、光学形状部３２２とを備えている。本実施形態の光制御層３２は、図３に示すように、接合層３６を介して、基板層３１の観察者側（出光側）に一体に積層されている。
図５は、光制御層３２を説明する図である。図５（ａ）は、図３に示す断面における光制御層３２の断面の一部を拡大して示している。図５（ａ）に示す断面は、透過型スクリーン１０の画面上下方向に平行であって厚み方向に平行な断面に相当する。図５（ｂ）は、光制御層３２を観察者側の正面方向から見た一部を拡大して示している。なお、図５では、理解を容易にするために、光制御層３２を略平板状として示している。
【００２５】
基材部３２１は、光透過性を有し、光学形状部３２２を形成するベース（基材）となる層である。この基材部３２１は、シート状の部材である。
基材部３２１を形成する材料としては、ＰＣ樹脂や、ＰＥＴ樹脂、ＴＡＣ樹脂、ＡＢＳ（アクリロニトリル・ブタジエン・スチレン）樹脂、ＭＢＳ樹脂、ＭＳ（メチルメタクリレート・スチレン）樹脂等を挙げることができる。
この基材部３２１の厚さは、７５〜２００μｍのものが好適である。
【００２６】
光学形状部３２２は、基材部３２１の出光側（観察者側）の面に一体に形成され、複数の光透過部３２３及び光吸収部３２４を有している。
光透過部３２３は、図５（ｂ）に示すように、画面左右方向に延在し、基材部３２１の観察者側の面に沿って画面上下方向に複数配列された単位光学形状である。図５（ａ）に示すように、光透過部３２３は、配列方向に平行であって透過型スクリーン１０の厚み方向に平行な断面形状が出光側（観察者側）を上底とし、入光側（光源側）を下底とする略台形形状である。本実施形態の光透過部３２３の断面形状は、略等脚台形であり、図５（ａ）に示すように、画面上下方向（配列方向）において略対称な形状である。
【００２７】
本実施形態の光透過部３２３は、ウレタンアクリレート等の紫外線硬化型樹脂により基材部３２１の観察者側の面に一体に形成されているが、これに限らず、電子線硬化型樹脂等の他の電離放射線硬化型樹脂により形成してもよい。
また、光透過部３２３は、ＰＥＴ樹脂等の熱可塑性樹脂等を用いて熱溶融押出成形により形成されてもよく、この場合、十分な厚みを有するならば、前述の基材部３２１を設けない形態としてもよい。
【００２８】
光吸収部３２４は、図５（ａ）に示すように、隣り合う光透過部３２３の間の谷部に形成され、光を吸収する作用を有する部分である。
この光吸収部３２４は、図５（ｂ）に示すように、画面左右方向に延在し、光制御層３２の出光側の面に沿って光透過部３２３と画面上下方向に交互に配置される形態となっている。また、光透過部３２３の出光側の面と光吸収部３２４の出光側の面とで光制御層３２の出光側の面が形成されている。
【００２９】
光吸収部３２４は、その配列方向に平行であって透過型スクリーン１０の厚み方向に平行な断面における断面形状が楔形形状である。
ここで、楔形形状とは、一方の端部の幅が広く、他方に向けて次第に幅が狭くなる形状をいい、三角形形状や台形形状等を含む。従って、光吸収部３２４は、図５（ａ）に示すように、その断面形状が、観察者側（出光側）を下底、光源側（入光側）を上底とする略台形形状としてもよいし、光源側を頂点とする略三角形形状としてもよい。
【００３０】
本実施形態の光吸収部３２４は、黒色ビーズ等を光吸収材として含有した光透過性を有する樹脂を、光透過部３２３間の谷部にワイピング（スキージング）して充填し、硬化させる等して形成されている。
光吸収部３２４に用いられる光透過性を有する樹脂としては、ウレタンアクリレート、エポキシアクリレート等の紫外線硬化型樹脂や電子線硬化型樹脂等の電離放射線硬化型樹脂が挙げられる。
光吸収部３２４に用いられる光吸収材は、可視光領域の光を吸収する機能を有する粒子状等の部材であり、例えば、カーボンブラック、グラファイト、黒色酸化鉄等の金属塩、顔料や染料、顔料や染料で着色された樹脂粒子等である。顔料や染料で着色された樹脂粒子を用いる場合には、その樹脂粒子は、アクリル系樹脂や、ＰＣ樹脂、ＰＥ（ポリエチレン）樹脂、ＰＳ（ポリスチレン）樹脂、ＭＢＳ樹脂、ＭＳ樹脂等により形成されたものを用いることができる。
【００３１】
この光吸収部３２４の屈折率は、光透過部３２３の屈折率よりも小さいことが、映像光の光線制御の観点から好ましい。従って、光吸収部３２４に用いられる光透過性を有する樹脂は、光透過部３２３を形成する樹脂よりも屈折率が小さいものが好ましい。
なお、光吸収部３２４の屈折率は、求める光学性能等に応じて、光透過部３２３の屈折率と同じものとしてもよいし、光透過部３２３の屈折率よりも大きくしてもよい。
【００３２】
この光制御層３２は、光吸収部３２４により、観察者側から入射した外光Ｇを吸収することができ、映像のコントラストを向上させることができる。また、光吸収部３２４は、スクリーン内で発生した迷光等も吸収できる。
さらに、光透過部３２３の屈折率が光吸収部３２４の屈折率よりも大きい場合には、光透過部３２３と光吸収部３２４との界面に臨界角以上の角度で入射する映像光Ｌは、その界面で全反射して出光側へ向かうので、映像光を効率よくその出光側の視野角範囲内へ向けることができ、輝度の高い明るい映像を表示できる。
【００３３】
図５（ａ）に示すように、この光透過部３２３（光吸収部３２４）の配列ピッチがＰ１であり、光学形状部３２２の厚み（光透過部３２３の厚み）がＤ１であり、配列方向における光透過部３２３の上底の寸法がＷ１であり、配列方向における光吸収部３２４の下底の寸法がＷ２であり、上底の寸法がＷ３である。また、透過型スクリーン１０の厚み方向における光吸収部３２４の寸法がＨ１であり、光透過部３２３と光吸収部３２４との界面が、透過型スクリーン１０の厚み方向となす角度がθである。
【００３４】
図３に戻り、第２拡散層３３は、光を拡散する作用を有する層であり、その拡散作用が第１拡散層よりも大きい層である。第２拡散層３３は、光制御層３２の出光側（観察者側）に配置されている。第２拡散層３３は、光を等方的に拡散する作用を有している。
第２拡散層３３は、光透過性を有する樹脂に、光を拡散する拡散材を含有させたシート状の部材を用いている。
第２拡散層３３の母材となる光透過性を有する樹脂としては、例えば、ＭＢＳ樹脂、アクリル樹脂、ＰＣ樹脂、ＰＥＴ樹脂等が挙げられる。
また、拡散材としては、プラスチックビーズ等の有機フィラーであり、特に、透明度の高いものが好ましい。このようなプラスチックビーズとしては、メラミン樹脂製、アクリル樹脂製、ＡＳ樹脂製、ＰＣ樹脂製等の粒子状等のものを適用可能である。また、シリコン系ビーズも拡散材として使用可能である。さらに、所望する拡散性能等に合わせて、これらの光拡散材を適宜選択し、所定の割合で組み合わせる等して使用可能である。このような拡散材は、例えば、その平均粒径が約１〜３０μｍのものを使用することが好ましい。
【００３５】
第２拡散層３３は、そのヘイズ値が、第１拡散層２２のヘイズ値よりも大きい。第２拡散層３３のヘイズ値は、８０〜９０％とすることが、解像度やコントラストの維持と、シンチレーションの低減及び輝度ムラの低減（シンチレーションよりも大きな領域で生じる輝度ムラの低減）とを両立する観点から好ましい。ヘイズ値が、８０％未満となると、光拡散効果が不十分となり、輝度ムラが生じたり、視野角が不十分となったり、シンチレーションが生じたりする。また、ヘイズ値が、９０％を超えると、透過型スクリーン１０に表示される映像がぼやけ、解像度やコントラストの低下が生じる。
第２拡散層３３のヘイズ値は、第１拡散層２２のヘイズ値よりも大きいことが、シンチレーションの低減の観点から好ましい。また、第２拡散層３３と、第１拡散層２２とは、なるべくその厚み方向における距離を離して配置されることが、シンチレーション低減の観点から好ましい。
【００３６】
また第２拡散層３３の厚さは、０．０５〜２．０ｍｍの範囲内が好ましく、０．１〜１．５ｍｍの範囲内とすることが解像度の維持と、シンチレーションの低減及び面内輝度の均一性向上（シンチレーションよりも大きな輝度ムラの低減）とを両立する観点から好ましい。
【００３７】
着色層３４は、所定の色及び濃度で着色された層である。この着色層３４は、観察者側から透過型スクリーン１０に入射する外光を吸収する機能や、透過型スクリーン１０内で発生した迷光等を吸収する機能等を有する。本実施形態の着色層３４は、第２拡散層３３の観察者側（出光側）に設けられている。
着色層３４は、光吸収材や着色剤を含有した透明樹脂により形成されたシート状の部材である。
着色層３４の母材となる透明樹脂としては、ＭＢＳ樹脂や、アクリル樹脂、ＰＣ樹脂、ＰＥＴ樹脂等を用いることができる。また、光吸収材としては、カーボンブラック、グラファイト、黒色酸化鉄等の金属塩等が挙げられ、着色剤としては、グレー系や黒色系等の暗色系の染料や顔料等が挙げられる。
着色層３４は、その厚さが、１０〜２００μｍの範囲内が好ましく、３０〜１５０μｍの範囲内とすることが、外光等を吸収する作用と映像光の透過率の維持の観点から好ましい。
【００３８】
本実施形態の着色層３４と第２拡散層３３とは、着色剤等を含有するＭＢＳ樹脂と、光拡散材を含有するＭＢＳ樹脂とを共押し出し成形することにより一体に形成されており、着色層３４と第２拡散層３３との間には、接合層等を有していない。しかし、これに限らず、着色層３４及び第２拡散層３３を別々に成形して、不図示の接合層等を介して一体に積層される形態としてもよい。
【００３９】
表面層３５は、透過型スクリーン１０の最も出光側（観察者側）に配置される層である。本実施形態では、表面層３５は、着色層３４の出光側に一体に形成されている。
この表面層３５は、ハードコート機能や、反射防止機能、帯電防止機能、紫外線吸収機能、防汚機能等の少なくとも１つの機能を有する層である。
表面層３５は、例えば、アクリル系の紫外線硬化型樹脂、又は、アクリル系の熱硬化型樹脂を、着色層３４の出光側の面側に塗布して、硬化させることにより形成される。
本実施形態の表面層３５は、ハードコート機能を有しており、ＪＩＳ  Ｋ  ６００−５−４（１９９４）で規定される鉛筆硬度試験で「ＨＢ」以上の硬度を有している。
【００４０】
接合層３６は、透過型スクリーン１０を構成する各層を一体に接合する層である。本実施形態の接合層３６は、光制御層３２と第２拡散層３３との間、光制御層３２と基板層３１との間に設けられ、これらの層を一体に接合している。
この接合層３６は、例えば、紫外線硬化型のアクリル系樹脂や、圧力により粘着性が顕在化する感圧粘着型のアクリル系樹脂等を用いることができる。また、接合層３６の厚さは、透過型スクリーン１０の大きさや使用環境、接合する各層の樹脂の特性、接合層として使用する樹脂の特性等に合わせて、１０〜１００μｍの範囲内で適宜選択できる。
【００４１】
この透過型スクリーン１０は、例えば、以下のように作製される。
まず、樹脂層２３と第１拡散層２２とを共押し出し成形して、フレネル基材層２１を形成する。そして、フレネル基材層２１を、レンズ層２４の基材として、その片面（樹脂層２３側の面）に紫外線成形法等により、レンズ層２４が形成され、略平板状のフレネルレンズシート２０が作製される。
この略平板状のフレネルレンズシート２０を加熱して軟化させ、レンズ層２４側が凸となるように、所定の曲面形状を有した不図示の型面に押圧する等して曲面成形する。
一方、積層体３０は、まず、基板層３１、光制御層３２、第２拡散層３３及び着色層３４を押し出し成形等により、それぞれ形成する。そして、これらを適宜接合層３６により一体に積層して接合した後に、加熱して軟化させ、着色層３４側が凸となるように、上述のような所定の曲面形状を有した不図示の型面に押圧する等して曲面成形する。曲面成形後に、着色層３４表面に表面層３５を形成し、積層体３０が形成される。なお、曲面成形は、真空成形法を用いることが好ましい。
そして、上記工程を経た積層体３０を、フレネルレンズシート２０の観察者側に配置することにより、透過型スクリーン１０が完成する。
【００４２】
この透過型スクリーン１０における映像光及び外光の様子を説明する。
本実施形態の透過型スクリーン１０において、図３，図５等に示すように、光源部８０から投射され透過型スクリーン１０に入射する映像光Ｌは、フレネルレンズシート２０の第１拡散層２２に入射して、等方的に拡散された後、レンズ層２４によって正面方向（前述の点Ｃにおける接面の法線方向Ｎ）へ偏向されて正面方向へ進み、積層体３０へ入射する。
積層体３０に入射した映像光Ｌは、基板層３１を透過して光制御層３２に入射し、一部はそのまま正面方向へ出射し、一部は光透過部３２３と光吸収部３２４との界面で全反射する等して画面上下方向へ拡散される（図５（ａ）参照）。このとき、角度θは所定の値となっており、画面上下方向への拡散の度合いは小さいので、正面輝度の低下や画面上下方向への必要以上の拡散を招くことはない。そして、映像光Ｌは、第２拡散層３３で等方的に拡散され、着色層３４及び表面層３５を透過して出射する。従って、映像光Ｌを効率よく観察者側へ出射して明るい映像を表示できる。
【００４３】
ここで、映像光Ｌは、第１拡散層２２で弱く拡散され、所定の距離を進み、第２拡散層３３で第１拡散層２２よりも強く拡散される。従って、映像光Ｌは、所定の距離をあけて２回拡散作用を受けることとなり、１回のみ拡散作用を受けるもの、特に、出光面近傍で１回のみ強い拡散作用を受けるものに比べて、シンチレーションが大幅に改善される。また、第１拡散層２２で映像光を拡散した後に、所定の距離をあけて、第２拡散層３３でより強く映像光を拡散しているので、像ぼけやコントラストの低下等を抑制しながら、映像光の拡散によって生じるシンチレーションを効果的に低減し、視野角を広げ、良好な映像を表示できる。
一方、観察者側から透過型スクリーン１０へ入射する太陽光や照明光等の外光Ｇ（図３，図５参照）は、一部が着色層３４で吸収され、一部が光吸収部３２４で吸収される。従って、外光によるコントラストの低下を大幅に改善することができる。
以上のことから、本実施形態の透過型スクリーン１０によれば、明るく、コントラストが高い良好な映像を表示でき、かつ、シンチレーションも大幅に改善された良好な映像を表示できる。
【００４４】
（第２実施形態）
図６は、第２実施形態の透過型スクリーン４０の層構成を説明する図である。図６では、図３と同様な断面の一部を拡大して示している。
第２実施形態の透過型スクリーン４０は、フレネルレンズシート２０及び基板層３１を備えておらず、光制御層３２の入光側にフレネルレンズ層４７を備えている点が第１実施形態の透過型スクリーン１０とは異なる以外は、前述の第１実施形態の透過型スクリーン１０と同様の形態である。従って、前述した第１実施形態と同様の機能を果たす部分には、同一の符号又は末尾に同一の符号を付して、重複する説明を適宜省略する。
第２実施形態の透過型スクリーン４０は、１枚ものの透過型スクリーンであり、入光側から順に、フレネルレンズ層４７、光制御層３２、第２拡散層３３及び着色層３４、表面層３５が、接合層３６を介して一体に積層されている。この透過型スクリーン４０は、前述の第１実施形態の透過型スクリーン１０と同様に、背面投射型表示装置１に用いられる。
【００４５】
フレネルレンズ層４７は、フレネル基材層４７３とレンズ層４７１とを有している。
フレネル基材層４７３は、樹脂層４７５と、光を拡散する作用を有する第１拡散層４７４とを有している。
樹脂層４７５は、光透過性を有する層であり、第１実施形態のフレネルレンズシート２０の樹脂層２３と同様の材料によって形成されたシート状の部材を用いることができる。この樹脂層４７５の厚さは、約１．０〜１．９ｍｍとすることが好ましい。
第１拡散層４７４は、光透過性を有し、拡散材を含有するシート状の部材であり、第１実施形態のフレネルレンズシート２０の第１拡散層２２と同様の材料によって形成されたシート状の部材を用いることができる。また、この第１拡散層４７４の厚さは、２０〜９０μｍとすることがましい。
また、樹脂層４７５及び第１拡散層４７４を合わせた厚みは、１．１〜２．０ｍｍとすることが、映像の解像度やコントラストを高く維持し、かつ、シンチレーションを低減することや、十分な剛性を備え剛性をから好ましい。
【００４６】
図７は、第２実施形態のレンズ層４７１の単位レンズ４７２を説明する図である。図７は、図６に示す断面におけるフレネルレンズ層４７の一部をさらに拡大して示している。
レンズ層４７１は、フレネル基材層４７３の入光面側に一体に形成され、その入光面側に単位レンズ４７２が複数配列されて形成されるフレネルレンズ形状を有している。
単位レンズ４７２は、その配列方向に平行であって、透過型スクリーン４０の厚み方向に平行な断面形状が、図７に示すように、光源側（入光側）に凸となる略三角形形状である。この単位レンズ４７２は、光Ｌが入射する入射面４７２ａと、入射面４７２ａからの光Ｌの少なくとも一部が全反射する全反射面４７２ｂとを有している。従って、レンズ層４７１は、その入光側の面に、所謂、全反射型のフレネルレンズを有している。
【００４７】
この単位レンズ４７２は、同心円状に配列され、サーキュラーフレネルレンズ形状を形成する形態としてもよいし、画面上下方向に沿って配列されて、リニアフレネルレンズ形状を形成する形態としてもよい。
単位レンズ４７２を同心円状に配列する場合は、その同心円の中心となる光学中心（フレネルセンター）は、前述の図４の点Ｆのように、透過型スクリーン１０のスクリーン面の幾何学的中心となる点Ｃに対して下方に偏心した形態となる。
【００４８】
上述のような透過型スクリーン４０とした場合にも、明るく、コントラストが高い映像を表示でき、かつ、シンチレーションを効果的に低減できる。
また、透過型スクリーン４０がこのような全反射型の単位レンズ４７２によるフレネルレンズ形状を備えることにより、通常の屈折型のフレネルレンズシート２０を備える透過型スクリーンの場合よりも、映像光のスクリーンへの入射角度を大きくすることができ、背面投射型表示装置１の奥行き方向における透過型スクリーン１０と光源部８０との距離短くすることができ、背面投射型表示装置１の薄型化を図ることができる。
【００４９】
（第３実施形態）
図８は、第３実施形態の透過型スクリーン５０の層構成を説明する図である。図８では、前述の図３に相当する断面を示している。
第３実施形態の透過型スクリーン５０は、基板層３１を備えず、光制御層３２の入光側に樹脂層６９及び第３拡散層６８を備える点が異なる以外は、第１実施形態の透過型スクリーン１０と同様の形態である。従って、前述の第１実施形態と同様の機能を果たす部分には、同一の符号又は末尾に同一の符号を付して、重複する説明を適宜省略する。
第３実施形態の透過型スクリーン５０は、フレネルレンズシート２０と、積層体６０とを備えている。この透過型スクリーン５０は、前述の第１実施形態の透過型スクリーン１０と同様に、背面投射型表示装置１に用いられる。
【００５０】
積層体６０は、入光側から順に、第３拡散層６８、樹脂層６９、光制御層３２、第２拡散層３３、着色層３４、表面層３５を備えており、適宜接合層３６を介して一体に積層されている。
第３拡散層６８及び樹脂層６９の材料や厚み等は、前述の第２実施形態のフレネル基材層４７３の第１拡散層４７４及び樹脂層４７５と同様とすることができる。また、第３拡散層６８のヘイズ値は、第２拡散層３３のヘイズ値より小さく、かつ、第１拡散層２２のヘイズ値と略同等であることが、シンチレーションの低減の観点から好ましい。
上述のような透過型スクリーン５０とした場合には、第３拡散層６８の拡散作用により、さらに、シンチレーションを効果的に低減できる。
【００５１】
（測定例の透過型スクリーンとその評価）
ここで、各実施形態の透過型スクリーン１０の実施例と比較例に相当する測定例の透過型スクリーンを用意して、そのシンチレーション等について調べた。
まず、第１実施形態及び第２実施形態の透過型スクリーンの実施例及び比較例に相当する測定例１〜１４に用いた積層体３０Ａ，３０Ｂ及びフレネルレンズシート２０Ａ〜２０Ｃ、フレネルレンズ層４７Ａ〜４７Ｃについて説明する。
積層体３０Ａ及び積層体３０Ｂは、第２拡散層３３が異なる以外は同一の形状である。
基板層３１は、ＰＣ樹脂製の厚さ２ｍｍの層である。
光制御層３２の基材部３２１は、ＰＣ樹脂（屈折率１．５９）製の厚さ１５０μｍである。
光透過部３２３は、ウレタンアクリレート系の紫外線硬化型樹脂（屈折率１．５５）製であり、その厚さＤ１＝１６８μｍ、光透過部３２３及び光吸収部３２４の配列ピッチＰ１＝６０μｍである。光吸収部３２４は、光吸収材（カーボンブラックを練りこんだアクリルビーズ：平均粒径約４μｍ）を含有するウレタンアクリレート系の紫外線硬化型樹脂（屈折率１．４９）製であり、下底の幅Ｗ２＝３０μｍ、上底の幅Ｗ３＝６μｍ、高さＨ１＝１５０μｍである。光透過部３２３と光吸収部３２４とのの界面が厚み方向となす角度θ＝４．５°である。
【００５２】
着色層３４は、光吸収材として、カーボンブラックで着色されたアクリル系ビーズ（平均粒径約８μｍ、屈折率１．５５）を所定量含有する厚さ７０μｍのＭＢＳ樹脂（屈折率１．５５）製のシート状の部材であり、黒色透明である。
表面層３５は、ハードコート機能を有し、アクリルウレタン系熱硬化性樹脂を塗布して硬化させた層であり、その厚さが約３０μｍである。
接合層３６は、紫外線硬化型の接着剤により形成され、その厚さが約５０μｍである。
【００５３】
積層体３０Ａの第２拡散層３３Ａは、拡散材としてシリコン樹脂製の拡散材（屈折率１．４１、平均粒径約２μｍ）を含有するＭＢＳ樹脂（屈折率１．５５）製の層であり、そのヘイズ値が８８％であり、厚さが２２５μｍである。
積層体３０Ｂの第２拡散層３３Ｂは、拡散材としてシリコン樹脂製の拡散材（屈折率１．４１、平均粒径約２μｍ）を含有するＭＢＳ樹脂（屈折率１．５５）製の層であり、そのヘイズ値が８８％であり、厚さが２２５μｍである。
【００５４】
この積層体３０Ａの第２拡散層３３Ａ及び積層体３０Ｂの第２拡散層３３Ｂは、拡散材の含有量が異なっており、第２拡散層３３Ａが含む拡散材は、第２拡散層３３Ａの母材に対する質量比が１２質量％であり、第２拡散層３３Ｂが含む拡散材は、第２拡散層３３Ｂの母材に対する質量比が１３．７質量％となっている。しかし、ヘイズ・透過率・反射率計（株式会社村上色彩技術研究所製  Ｒｅｆｌｅｃｔａｎｃｅ  ｔｒａｎｓｍｉｔｔａｎｃｅ  ｍｅｔｅｒ  ＨＲ−１００）を用いたヘイズ値の測定では、第２拡散層３３Ａ及び第２拡散層３３Ｂのヘイズ値は、同じ値となった。
なお、後述するフレネルレンズシート２０Ａ〜２０Ｃ、フレネルレンズ層４７Ａ〜４７Ｃや測定例１〜１６の透過型スクリーンのヘイズ値に関しても、このヘイズ・透過率・反射率計を用いてヘイズ値を測定している。
【００５５】
次に、フレネルレンズシート２０Ａ〜２０Ｃは、フレネル基材層２１（樹脂層２３及び第１拡散層２２）のヘイズ値や厚さ等が異なる以外は、同一の形状である。なお、レンズ層２４のフレネルレンズ形状は、シンチレーションへ与える影響が小さいために、本評価においては、フレネルレンズシート２０Ａ〜２０Ｃは、レンズ層２４を備えない形態として評価を行った。
フレネルレンズシート２０Ａのフレネル基材層２１Ａは、その厚さが１．７ｍｍである。この樹脂層２３Ａは、ＭＢＳ樹脂（屈折率１．５５）製の厚さ１．６２ｍｍの層である。また、第１拡散層２２Ａは、平均粒径約８μｍのアクリル樹脂製（屈折率１．５４０）の拡散材を含有するＭＢＳ樹脂（屈折率１．５５）製であり、その厚さが８０μｍ、ヘイズ値が３２．３％である。
【００５６】
フレネルレンズシート２０Ｂのフレネル基材層２１Ｂは、その厚さが１．８５ｍｍである。この樹脂層２３Ｂは、ＭＢＳ樹脂（屈折率１．５５）製の厚さ１．８ｍｍの層ある。また、第１拡散層２２Ｂは、平均粒径約８μｍのアクリル樹脂製（屈折率１．５５２）の拡散材を含有するＭＢＳ樹脂（屈折率１．５５）製であり、その厚さが５０μｍ、ヘイズ値が３２．３％である。
フレネルレンズシート２０Ｃのフレネル基材層２１Ｃは、その厚さが１．１ｍｍである。この樹脂層２３Ｃは、ＭＢＳ樹脂（屈折率１．５５）製の厚さ１．０６ｍｍの層である。また、第１拡散層２２Ｃは、平均粒径約５μｍのアクリル樹脂製（屈折率１．５５２）の拡散材を含有するＭＢＳ樹脂（屈折率１．５５）製であり、その厚さが４０μｍ、ヘイズ値が５６．３％である。
【００５７】
次に、第２実施形態の透過型スクリーンに相当する測定例９〜１４の透過型スクリーンに用いられたフレネルレンズ層４７Ａ〜４７Ｃについて説明する。
フレネルレンズ層４７Ａ〜４７Ｃは、フレネル基材層４７３（樹脂層４７５及び第１拡散層４７４）のヘイズ値や厚さ等が異なる以外は、同一の形状である。なお、レンズ層４７１のフレネルレンズ形状は、シンチレーションへ与える影響が小さいために、本評価において、フレネルレンズ層４７Ａ〜４７Ｃは、レンズ層４７１を備えない形態として評価を行った。
フレネルレンズ層４７Ａのフレネル基材層４７３Ａは、その厚さが１．７ｍｍである。この樹脂層４７５Ａは、ＭＢＳ樹脂（屈折率１．５５）製の厚さ１．６２ｍｍである。また、第１拡散層４７４Ａは、平均粒径約８μｍのアクリル樹脂製（屈折率１．５４０）の拡散材を含有するＭＢＳ樹脂（屈折率１．５５）製であり、その厚さが８０μｍ、ヘイズ値が３２．３％である。
【００５８】
フレネルレンズ層４７Ｂのフレネル基材層４７３Ｂは、その厚さが１．８５ｍｍである。この樹脂層４７５Ｂは、ＭＢＳ樹脂（屈折率１．５５）製の厚さ１．８ｍｍである。また、第１拡散層４７４Ｂは、平均粒径約８μｍのアクリル樹脂製（屈折率１．５５２）の拡散材を含有するＭＢＳ樹脂（屈折率１．５５）製であり、その厚さが５０μｍ、ヘイズ値が３２．３％である。
フレネルレンズ層４７Ｃのフレネル基材層４７３Ｃは、その厚さが１．１ｍｍである。この樹脂層４７５Ｃは、ＭＢＳ樹脂（屈折率１．５５）製の厚さ１．０６ｍｍである。また、第１拡散層４７４Ｃは、平均粒径約５μｍのアクリル樹脂製（屈折率１．５５２）の拡散材を含有するＭＢＳ樹脂（屈折率１．５５）製であり、その厚さが４０μｍ、ヘイズ値が５６．３％である。
【００５９】
測定例１は、積層体３０Ａであり、測定例２は、積層体３０Ｂである。これら測定例１，２は、フレネルレンズシート２０が第１拡散層２２を備えていない透過型スクリーンの測定例（比較例）に相当する。
次に、測定例３〜９の透過型スクリーンは、積層体３０とフレネルレンズシート２０とを備える第１実施形態の透過型スクリーン１０の測定例に相当する。
測定例３は、積層体３０Ａとフレネルレンズシート２０Ａとを組み合わせた透過型スクリーンである。
測定例４は、積層体３０Ａとフレネルレンズシート２０Ｂとを組み合わせた透過型スクリーンである。
測定例５は、積層体３０Ａとフレネルレンズシート２０Ｃとを組み合わせた透過型スクリーンである。
測定例６は、積層体３０Ｂとフレネルレンズシート２０Ａとを組み合わせた透過型スクリーンである。
測定例７は、積層体３０Ｂとフレネルレンズシート２０Ｂとを組み合わせた透過型スクリーンである。
測定例８は、積層体３０Ｂとフレネルレンズシート２０Ｃとを組み合わせた透過型スクリーンである。
【００６０】
次に、測定例９〜１４の透過型スクリーンについて説明する。測定例９〜１４の透過型スクリーンは、第２実施形態の透過型スクリーン４０の測定例に相当し、第１拡散層４７４と第２拡散層３３とが異なる以外は、同一の形状である。
測定例９〜１４の透過型スクリーンが備える表面層３５、着色層３４、光制御層３２、接合層３６は、上述の積層体３０Ａ，３０Ｂと同様の部材である。以下、測定例９〜１４の透過型スクリーンについては、第１拡散層４７４及び第２拡散層３３のみを説明する。
測定例９は、フレネルレンズ層４７Ａと第２拡散層３３Ａとを備えている。
測定例１０は、フレネルレンズ層４７Ｂと第２拡散層３３Ａとを備えている。
測定例１１は、フレネルレンズ層４７Ｃと第２拡散層３３Ａとを備えている。
測定例１２は、フレネルレンズ層４７Ａと第２拡散層３３Ｂとを備えている。
測定例１３は、フレネルレンズ層４７Ｂと第２拡散層３３Ｂとを備えている。
測定例１４は、フレネルレンズ層４７Ｃと第２拡散層３３Ｂとを備えている。
【００６１】
次に、測定例１５，１６について説明する。測定例１５，１６の透過型スクリーンは、積層体６０とフレネルレンズシート２０とを備える第３実施形態の透過型スクリーン５０の測定例に相当する。測定例１５，１６の透過型スクリーンは、樹脂層６９及び第３拡散層６８が異なる以外は、同一の形状である。
測定例１５，１６の透過型スクリーンの備える表面層３５、着色層３４、第２拡散層３３Ａ、光制御層３２は、上述の積層体３０Ａ，３０Ｂと同様である。以下、測定例１５，１６の透過型スクリーンについては、第２拡散層３３と樹脂層６９及び第３拡散層６８、フレネルレンズシート２０のみを説明する。
測定例１５は、第２拡散層３３Ａと樹脂層６９Ｂと第３拡散層６８Ｂとを備える積層体と、フレネルレンズシート２０Ｃとを備えている。
測定例１６は、第２拡散層３３Ａと樹脂層６９Ｃと第３拡散層６８Ｃを備える積層体と、フレネルレンズシート２０Ｃとを備えている。
【００６２】
樹脂層６９Ｂは、ＭＢＳ樹脂（屈折率１．５５）製であり、その厚さが１．８ｍｍである。
第３拡散層６８Ｂは、平均粒径約８μｍのアクリル樹脂製（屈折率１．５５２）の拡散材を含有するＭＢＳ樹脂（屈折率１．５５）製の層であり、そのヘイズ値が３２．３％であり、厚さが５０μｍである。
樹脂層６９Ｃは、ＭＢＳ樹脂（屈折率１．５５）製であり、その厚さが１．０６ｍｍである。
第３拡散層６８Ｃは、平均粒径約５μｍのアクリル樹脂製（屈折率１．５５２）を含有するＭＢＳ樹脂（屈折率１．５５）製の層であり、そのヘイズ値が５６．７％であり、厚さが４０μｍである。
【００６３】
図９は、各測定例の透過型スクリーンのシンチレーションの評価方法を説明する図である。上述の各測定例の透過型スクリーンは、いずれも平板状であって湾曲形状を有しておらず、縦横６０×６０ｍｍの正方形状である。この各測定例の透過型スクリーンを、測定用光源装置７０上に載置した。
測定用光源装置７０は、画面サイズ６０インチ（１３５０ｍｍ×７６０ｍｍ）のリアプロジェクションテレビジョン（ＭＩＴＳＵＢＩＳＨＩ  Ｅｌｅｃｔｒｉｃ  Ｄｉｇｉｔａｌ  Ｔｅｌｅｖｉｓｉｏｎｓ  Ｍｏｄｅｌ  Ｎｏ．ＷＤ−６０７３５）から透過型スクリーンを外し、かわりに、各測定例の透過型スクリーンが載置できるよう不透明の支持板７２を配置したものである。
【００６４】
この支持板７２は、その板面の法線方向から見た幾何学的中央近傍に開口部７２１（６０×６０ｍｍ）を有している。各測定例の透過型スクリーンは、その開口部７２１にはめ込まれるように配置され、固定されている。このとき、各測定例の透過型スクリーンの幾何学的な中心点Ｍは、測定用光源装置７０の支持板７２の法線方向から見て、支持板７２の画面左右方向の中央であって、支持板７２下端から距離ｄ１＝３６０ｍｍとなる位置に一致する。
この位置は、測定用光源装置７０用の不図示の透過型スクリーンの不図示のフレネルレンズシートのフレネルセンターに略一致する位置であり、この測定用光源装置７０用の不図示の透過型スクリーンにおいて最も一番輝度が高くなる領域である。本測定はシンチレーション評価であるため、測定用光源装置７０用の不図示の透過型スクリーンの画面内において、シンチレーションの生じやすい明るい領域に相当する位置に開口部７２１を設け、測定例用の透過型スクリーンを載置して評価を行った。
【００６５】
暗室環境下で、測定用光源装置７０の光源部７１を白色表示するように点灯して、各測定例の透過型スクリーンの幾何学的な中心点Ｍからその法線方向に距離ｄ２＝１．２ｍの位置から、各測定例の透過型スクリーンの画面を縦横１１８×１１８ピクセルに分割し、各ピクセルの輝度を輝度分布測定器ＭＩ（ＰｒｏＭｅｔｒｉｃ  ｐｍ１４２３−１（ＲＡＤＩＡＮＴ  ＩＭＡＧＩＮＧ社製））によって測定した。
そして、上述の測定によって得られた縦横１１８×１１８ピクセルの輝度の平均値を、面内輝度の平均値として算出した。また、上述の測定によって得られた縦横１１８×１１８ピクセルの輝度の標準偏差を面内輝度の標準偏差として算出した。この面内輝度の平均値と標準偏差から、シンチレーション値を算出した。
【００６６】
シンチレーション値は、シンチレーション値をＳ、標準偏差をＡ、面内輝度の平均値をＫとするとき、以下の式を用いて算出したものである。
Ｓ＝（Ａ／Ｋ）×１００
シンチレーション値は、高いとシンチレーションが強く生じていることを示し、低いとシンチレーションが低減されていることを示す。各測定例の透過型スクリーンのシンチレーションに関する評価は、このシンチレーション値を用いて行い、シンチレーション値が、１０以下であるものを良とし、１０を超えるものを不可とした。
【００６７】
【表１】
2013257496.tif 000003
【００６８】
表１は、測定例１，２及び測定例３〜１６の面内輝度の平均値、面内輝度の標準偏差、シンチレーション値、ヘイズ値等をまとめた表である。表１上段は、測定例１，２及び測定例３〜８について、表１中段は、測定例１，２及び測定例９〜１４について、表１下段は、測定例１，２及び測定例１５，１６について、それぞれの面内輝度の平均値、面内輝度の標準偏差、シンチレーション値、ヘイズ値等をまとめている。
図１０は、測定例１，２及び測定例３〜５の透過型スクリーンのシンチレーションの発生状態を示す図である。
図１１は、測定例６〜８及び測定例１５，１６の透過型スクリーンのシンチレーションの発生状態を示す図である。
この図１０〜１１は、上述の輝度の測定位置から、上述の輝度分布測定器ＭＩ（ＰｒｏＭｅｔｒｉｃ  ｐｍ１４２３−１（ＲＡＤＩＡＮＴ  ＩＭＡＧＩＮＧ社製）によって撮影した画像である。
なお、図１０，１１に示す画像では、白色表示されている測定例１〜１６の透過型スクリーンが、白色ではなく着色されているように表示されているが、これは、撮影した上記輝度分布測定器の特性に依存するものであり、評価時の測定例１〜１６は、目視では白色表示画面として観察された。
【００６９】
表１及び図１０，図１１に示すように、第１拡散層２２，４７４を有する測定例３〜１６の透過型スクリーンは、測定例１，２の透過型スクリーンに比べて、シンチレーションが大幅に改善された。
また、表１及び図１０，図１１に示すように、測定例３〜１６の透過型スクリーンにおいて、第３拡散層６８を備える測定例１５，１６は、他の測定例に比べてよりシンチレーションが際立って低減されていた。一方で、測定例１５，１６は、他の測定例に比べて、面内輝度の平均値が低下しており、使用可能な範囲内ではあるが明るさの低下が生じていた。
【００７０】
また、測定例３〜１４の透過型スクリーンにおいて、２枚ものの透過型スクリーンである測定例３〜８の方が、１枚ものの透過型スクリーンである測定例９〜１４に比べて、面内輝度の平均値はわずかに低下しているが、よりシンチレーションが低減されていた。これは、２枚ものとすることにより、第１拡散層２２と第２拡散層３３との厚み方向の距離が、１枚ものに比べて大きくなるからである。
さらに、測定例３〜８の透過型スクリーンにおいて、ヘイズ値が高い第１拡散層２２を備える測定例５，８は、他の測定例に比べてシンチレーション低減効果が高く、また、測定例９〜１４の透過型スクリーンにおいて、ヘイズ値が高い第１拡散層４７４を備える測定例１１，１４は、他の測定例に比べてシンチレーション低減効果が高かった。一方で、測定例５，８，１１，１４は、面内輝度の平均値が他の測定例よりも低下しており、使用可能な範囲内であるが明るさの低下が生じていた。
【００７１】
以上のことから、本実施形態によれば、シンチレーションを低減でき、良好な映像を表示することができる。また、所望する光学特性や透過型スクリーンの形状等に応じて、第１拡散層２２，４７４や第２拡散層３３、第３拡散層６８のヘイズ値や厚さ、母材と拡散材との屈折率差等を適宜選択して用いることができる。
【００７２】
（変形形態）
以上説明した各実施形態に限定されることなく、種々の変形や変更が可能であって、それらも本発明の範囲内である。
（１）第１実施形態及び第３実施形態において、フレネル基材層２１は、第１拡散層２２及び樹脂層２３を有する例を示したが、これに限らず、フレネル基材層２１を単層とし、拡散材を含有する形態としてもよい。
なお、第２実施形態においても、フレネル基材層４７３を単層とし、拡散材を含有する形態としてもよい。
さらに、各実施形態において、樹脂層２３，４７５，６９は、第１拡散層２２，４７４の出光側に位置する例を示したが、これに限らず、例えば、第１拡散層２２，４７４の入光側に設けてもよい。
【００７３】
（２）各実施形態において、光透過部３２３及び光吸収部３２４の断面形状は、略等脚台形状である例を示したが、これに限らず、例えば、１つの光透過部３２３の画面上下方向において、光吸収部３２４との界面がシートの厚み方向となす角度θが、上側の角度θと下側の角度θとが異なる大きさのもの（即ち、光透過部及び光吸収部が、画面上下方向において非対称な形状のもの）としてもよい。
また、角度θは、光透過部３２３及び光吸収部３２４の配列方向（画面上下方向）において、変化する形態としてもよい。
【００７４】
（３）各実施形態において、接合層３６は、着色剤や拡散材を含有していない例を挙げて説明したが、これに限らず、適宜拡散材や着色剤、紫外線吸収剤等を含有する形態としてもよい。
【００７５】
（４）各実施形態において、光源部８０は、背面投射型表示装置１の使用状態において、透過型スクリーン１０に対して鉛直方向下側から斜めに映像光を投射する例を挙げて説明したが、これに限らず、例えば、透過型スクリーン１０に対して鉛直方向上側から斜めに映像光を投射する形態としてもよい。この場合、透過型スクリーン１０の上下方向を逆にして配置することが好ましい。
【００７６】
（５）各実施形態において、背面投射型表示装置１は、タッチパネル機能等を備えていない例を示したが、これに限らず、例えば、タッチパネル機能を備えていてもよい。タッチパネル機能としては、例えば、透過型スクリーン１０の背面側から赤外光を投射する赤外光投射装置と、透過型スクリーン１０の背面側に配置され、赤外光を検出可能な赤外光検出装置とを備える赤外線方式のタッチパネル等を用いることも可能である。
【００７７】
（６）各実施形態において、表面層３５を設ける例を示したが、これに限らず、最も観察者側に位置する層が十分な耐擦傷性等を有するのであれば、表面層３５を設けない形態としてもよい。このような形態とすることにより、生産工程の短縮化、生産コストの低減等の効果が得られる。
【００７８】
（７）各実施形態において、第２拡散層３３と着色層３４とは、別層である例を示したが、これに限らず、第２拡散層３３に光吸収材や着色剤を含有させた形態とし、着色層３４を設けない形態としてもよい。
【００７９】
なお、各実施形態及び変形形態は、適宜組み合わせて用いることもできるが、詳細な説明は省略する。また、本発明は以上説明した各実施形態によって限定されることはない。
【符号の説明】
【００８０】
１    背面投射型表示装置
１０，４０，５０    透過型スクリーン
２０    フレネルレンズシート
２１    フレネル基材層
２２    第１拡散層
２３    樹脂層
２４    レンズ層
３０，６０    積層体
３１    基板層
３２    光制御層
３３    第２拡散層
３４    着色層
３５    表面層
４７    フレネルレンズ層
４７１    レンズ層
４７３    フレネル基材層
４７４    第１拡散層
４７５    樹脂層
６８    第３拡散層
６９    樹脂層
８０    光源部
【図１】
2013257496.tif 000004
【図２】
2013257496.tif 000005
【図３】
2013257496.tif 000006
【図４】
2013257496.tif 000007
【図５】
2013257496.tif 000008
【図６】
2013257496.tif 000009
【図７】
2013257496.tif 000010
【図８】
2013257496.tif 000011
【図９】
2013257496.tif 000012
【図１０】
2013257496.tif 000013
【図１１】
2013257496.tif 000014